(57)【要約】【課題】持ち運びの際の容器の水平姿勢を保持して利便性・快適性を向上させることができるようにする。【解決手段】容器本体部４０と蓋部５０との両方の、縁部分の四箇所に、手提げ帯８０の一部を引っ掛ける係止部４１，５１を設けるようにした。【選択図】図４
2013052887.tif 000002
【特許請求の範囲】
【請求項１】
容器の本体部と蓋部とのどちらか一方若しくは両方の、縁部分の一箇所若しくは複数箇所に、手提げ帯の一部を引っ掛ける係止部を設けることを特徴とする水平保持機能付き容器及び手提げ帯。
【請求項２】
一つ若しくは複数の係止片が側壁外側に設けられた容器と、前記係止片が差し込まれる孔が側面に設けられた手提げ袋とからなることを特徴とする水平保持機能付き容器及び手提げ袋。
【請求項３】
一つ若しくは複数の係止片が周縁部に設けられた底板を備えると共に、前記係止片が差し込まれる孔が側面に設けられていることを特徴とする水平保持機能付き手提げ袋。
【請求項４】
前記容器が蓋部を備え、当該蓋部の上面側に飲料用容器が嵌められる凹凸が形成されていることを特徴とする請求項１または２記載の水平保持機能付き容器及び手提げ帯又は手提げ袋。
【発明の詳細な説明】
【技術分野】
【０００１】
本発明は、水平保持機能付き容器及び手提げ帯若しくは手提げ袋に関する。さらに詳述すると、本発明は、例えば弁当・惣菜やケーキ・スイーツなどの提供に用いられる容器及び当該容器の持ち運びに用いる手提げ帯若しくは手提げ袋に適用して好適な容器及び手提げ帯若しくは手提げ袋の構造に関する。
【背景技術】
【０００２】
ポリスチレンやポリプロピレン或いはパルプ等で作られて例えば弁当・惣菜やケーキ・スイーツなどが詰められる簡易容器を持ち運ぶ際の袋として、ポリエチレンやポリオレフィン等で作られ、その形状からＵバッグとも、使用場面からレジ袋ともコンビニ袋とも言われる手提げ袋が使用される場合が多い。
【０００３】
上記従来の容器と手提げ袋との組み合わせの場合、持ち運びに際して袋の中に詰めた容器の、袋の中での位置を固定し水平姿勢を保持するのが非常に困難であった。
【０００４】
その原因として、Ｕバッグの構造上、手提げ袋の底面は中に詰めた容器の形状と自重とによって可逆的・流動的に形成されるところ、容器は袋の中で特定の位置に固定されていないことから、その状態で持ち運びを行う際に、歩行による横方向及び縦方向の重心移動が容器に生じたり、袋の外側から運搬者の足が当たるなどの力が容器に加わったりすると、容器の重みで形成される袋の底面が袋底部の熱融着封止線に対して垂直方向に容易にスライド移動し、手提げ袋に入れた容器は次第に傾斜し、そのまま容器底部の位置修正を怠ると最終的にはＵバッグ底部の熱融着封止線上に容器の一側面が沿う形で容器は袋の内部で垂直に屹立してしまう。
【０００５】
このように、水平姿勢保持の仕組みを備えていない容器及び手提げ袋の組み合わせでは、袋内での移動によって容器が傾斜してしまい、容器の内容物が片寄ることで盛り付けの美観を損ねたり異なる料理の混合が起こったり、また、ソースなどの液状内容物が漏れこぼれたりする等の不都合が生じ、利便性・快適性が高いとは言えないという問題がある。
【０００６】
上述のような課題を解決する為、以下の先行技術では容器の水平姿勢保持の仕組みが提案されている。
【０００７】
具体的には、特許文献１のレジ袋は、袋の中に容器を詰めたときの底部となる部分の四隅に水平孔を設け、レジ袋の中に容器を詰めたときに当該容器の四隅が前記水平孔に嵌って保持されるようにしている。
【０００８】
また、特許文献２のレジ袋は、周面(側面)の、袋の中に容器を入れたときの容器の縁の位置に切れ目，凹凸，針孔を設け、レジ袋に容器を入れたときに当該容器の縁が前記切れ目等に引っ掛かって保持されるようにしている。
【先行技術文献】
【特許文献】
【０００９】
【特許文献１】実用新案登録第３１４６３５３号
【特許文献２】特開２０１０‐２８５１７０号
【発明の概要】
【発明が解決しようとする課題】
【００１０】
しかしながら、上記特許文献１の技術によれば、使用される手提げ袋は収納する容器のサイズ違いや形状違いに対応する汎用性に欠け、容器のサイズや形状毎にそれぞれ専用の手提げ袋を用意しなければならないという問題がある。
【００１１】
また、上記特許文献２の技術によれば、収納する容器のサイズ違いに対応する汎用性を確保する為には手提げ袋に孔となる切れ目を相当数設けなくてはならないことから、手提げ袋の引っ張り強度確保と容器のサイズ違いに対応する汎用性確保とがトレードオフの関係になり、汎用性を高めようとすると引っ張り強度が低下してしまうという問題がある。また、縁が無いなど容器の形状によっては、手提げ袋の孔となる切れ目が全く機能しない場合があり得るという問題がある。
【００１２】
そこで、本発明は、持ち運びの際の容器の水平姿勢を保持して利便性・快適性を向上させることができると共に、手提げ用具としての引っ張り強度を確保することができ、さらに、容器のサイズ違い及び形状違いに対応する汎用性を向上させることができる容器及び手提げ帯若しくは手提げ袋を提供することを目的とする。
【課題を解決するための手段】
【００１３】
かかる目的を達成するため、請求項１記載の水平保持機能付き容器及び手提げ帯は、容器の本体部と蓋部とのどちらか一方若しくは両方の、縁部分の一箇所若しくは複数箇所に、手提げ帯の一部を引っ掛ける係止部を設けるようにしている。
【００１４】
したがって、この水平保持機能付き容器及び手提げ帯によると、容器の本体部，蓋部の係止部に手提げ帯の一部が引っ掛けられることにより、手提げ帯に対する容器の位置・姿勢が固定され、持ち運び時に容器の水平姿勢が保持される。
【００１５】
また、請求項２記載の水平保持機能付き容器及び手提げ袋は、一つ若しくは複数の係止片が側壁外側に設けられた容器と、前記係止片が差し込まれる孔が側面に設けられた手提げ袋とからなるようにしている。
【００１６】
したがって、この水平保持機能付き容器及び手提げ袋によると、容器の係止片が手提げ袋の側面の孔に差し込まれることにより、手提げ袋の中での容器の位置・姿勢が固定され、持ち運び時に容器の水平姿勢が保持される。
【００１７】
また、請求項３記載の水平保持機能付き手提げ袋は、一つ若しくは複数の係止片が周縁部に設けられた底板を備えると共に、前記係止片が差し込まれる孔が側面に設けられているようにしている。
【００１８】
したがって、この水平保持機能付き手提げ袋によると、底板の係止片が手提げ袋の側面の孔に差し込まれることによって底板が手提げ袋の中で固定されるようにしているので、係止部や係止片を有していない容器であっても手提げ袋の中での容器の姿勢が固定され、持ち運び時に容器の水平姿勢が保持される。
【００１９】
また、請求項４記載の発明は、請求項１または２記載の水平保持機能付き容器及び手提げ帯又は手提げ袋において、前記容器が蓋部を備え、当該蓋部の上面側に飲料用容器が嵌められる凹凸が形成されているようにしている。この場合には、飲料用容器が容器の蓋部の凹凸に嵌められることにより、蓋部に飲料用容器が位置固定され、持ち運び時に飲料用容器がずれ落ちることなく載置される。
【発明の効果】
【００２０】
請求項１記載の水平保持機能付き容器及び手提げ帯によれば、容器は係止部の作用効果によって手提げ帯に対する位置・姿勢が固定されて持ち運び時に容器の水平姿勢を保持することができるので、利便性・快適性の向上を図ることが可能になる。また、容器を用いて内容物を商品として提供する者にとっては、手提げ帯の形状の不定形性、流動性をそのまま生かし、サイズが異なる容器であっても同一の手提げ帯を組み合わせて使用することができるので、汎用性の向上を図ることが可能になる。また、容器の構造に合わせてカップ容器収納用の孔を設けたプレートと底部のカバーとを提供することによって、ケーキやカップ容器に関しても手提げ帯内での水平姿勢保持を実現することが可能になる。
【００２１】
また、請求項２記載の水平保持機能付き容器及び手提げ袋によれば、容器は係止片と手提げ袋の孔との連携作用効果によって手提げ袋の中での位置・姿勢が固定されて持ち運び時に容器の水平姿勢を保持することができるので、利便性・快適性の向上を図ることが可能になる。また、容器を用いて内容物を商品として提供する者にとっては、手提げ袋の形状の不定形性、流動性をそのまま生かしたり係止片の間隔を統一したりすることで、サイズが異なる容器であっても同一の手提げ袋を組み合わせて使用することができるので、汎用性の向上を図ることが可能になる。さらに、手提げ袋の形状の不定形性、流動性をそのまま生かしたり係止片の間隔を統一したりすることでサイズが異なる容器であっても手提げ袋の側面の孔の個数を最小限に抑えることができるので、袋の引っ張り強度を確保することが可能になる。
【００２２】
請求項３記載の水平保持機能付き手提げ袋によれば、係止部や係止片を有していない容器一般を収納して持ち運ぶ際に容器の水平姿勢を保持することができるので、手提げ袋としての利便性・快適性の向上と汎用性の向上とを図ることが可能になる。
【００２３】
請求項４記載の水平保持機能付き容器及び手提げ帯又は手提げ袋によれば、さらに、容器の蓋部に飲料用容器を位置固定して持ち運び時にずれ落ちないように載置することができるので、例えば弁当・惣菜等の容器に加えて飲料用容器を持ち運ぶ際にも利便性・快適性を維持することが可能になる。
【図面の簡単な説明】
【００２４】
【図１】本発明の第一の実施形態の容器の本体部及び蓋部の一例を示す平面図及び側面図である。（Ａ）は容器の蓋部の二面図である。（Ｂ）は容器の本体部の二面図である。
【図２】本発明の第一の実施形態のカップ容器保持プレート部及び底部カバーの一例を示す平面図及び側面図である。（Ａ）はカップ容器保持プレート部の二面図である。（Ｂ）は底部カバーの二面図である。
【図３】本発明の第一の実施形態の手提げ帯の一例を示す平面図である。
【図４】本発明の第一の実施形態の容器と手提げ帯とを組み合わせた状態を示す斜視図である。
【図５】本発明の第一の実施形態の手提げ帯の他の例を示す平面図である。
【図６】本発明の第一の実施形態の手提げ帯の更に他の例を示す平面図である。
【図７】本発明の第二の実施形態の容器の一例を示す斜視図である。
【図８】本発明の第二の実施形態の手提げ袋の一例を示す側面図である。
【図９】本発明の第二の実施形態の手提げ袋の他の例を示す側面図である。
【図１０】本発明の第二の実施形態の容器と手提げ袋とを組み合わせた状態を示す斜視図である。
【図１１】本発明の第三の実施形態の底板の一例を示す平面図及び側面図である。
【図１２】本発明の第三の実施形態の手提げ袋の一例を示す正面図及び側面図である。
【発明を実施するための形態】
【００２５】
以下、本発明の構成を図面に示す実施の形態の例に基づいて詳細に説明する。
【００２６】
図１から図６を用いて、本発明の第一の実施形態について説明する。この水平保持機能付き容器及び手提げ帯は、容器の本体部４０と蓋部５０との両方の、縁部分の四箇所に、手提げ帯８０の一部を引っ掛ける係止部４１，５１を設けるようにしている。
【００２７】
容器の本体部４０は、本実施形態では、図１(Ｂ)に示すように、平面視概ね長方形をなし、短辺の側壁上縁部の短辺方向両端(即ち角部)各々に合計四つの係止部４１を備える。なお、本発明における容器本体部４０の材質は、特定のものに限定されるものではなく、内容物や使用場面などを考慮して適宜選択され、具体的には例えばポリスチレンやポリプロピレンやパルプなどが考えられる。
【００２８】
係止部４１は、手提げ帯８０の側方縁部(両側)を引っ掛けるためのものである。係止部４１は、本実施形態では、容器本体部４０の側壁上端部(周状)から広めに面取りされ底面に対して概ね平行に成形された部分(つば状)であって平面視長方形の四隅の部分に、上下方向に貫通する溝を有して平面視長方形の各角部に合わせて概ね鉤形に設けられる。言い換えると、長辺の側壁上端部の長辺方向両端角部寄りの位置から長辺方向外向きに延伸すると共に短辺の側壁よりも張り出した位置において短辺方向に反対端のものとの先端同士が向き合うように折れ曲がっている鉤状の係止片４２が形成される。そして、同一短辺の短辺方向両端の二つの係止片４２，４２が一対となって、手提げ帯８０の側方縁部の両側から挟んで引っ掛かる。
【００２９】
なお、同一短辺で一対となる係止片４２，４２の向き合う先端同士を繋ぎ合わせ、二つの係止片４２，４２によって形成される二つの溝を、周囲が閉じられた一つのスリット孔にするようにしても良い。その際のスリット孔の平面視形状は、特定の形状に限定されるものではなく、細長の線状や楕円形であっても良い。
【００３０】
また、係止部４１の個数は、図１に示す例のように四個に限定されるものではなく、容器や手提げ帯８０の素材強度や生産性等を勘案して一個でも良いし二個や三個でも良い。また、係止部４１の設置位置は、図１に示す例のように長辺の側壁上端部の長辺方向両端角部寄りの位置から長辺方向外向きに延伸すると共に短辺方向において反対端のものとの先端同士が向き合うように折れ曲がっている態様に限定されるものではなく、短辺の側壁上端部の長辺方向両端角部寄りの位置から短辺方向外向きに延伸すると共に長辺方向において反対端のものとの先端同士が向き合うように折れ曲がっているようにしても良い。また、図１に示す例では係止部４１を容器本体部４０の側壁の上端位置に設けるようにしているが、係止部４１を側壁の中間位置や下端寄りの位置に設けるようにしても良い。
【００３１】
容器の蓋部５０は、本実施形態では、図１(Ａ)に示すように、容器の本体部４０と同様に、平面視概ね長方形をなし、短辺の側壁下縁部の短辺方向両端(即ち角部)各々に合計四つの係止部５１を備える。なお、本発明における容器蓋部５０の材質は、特定のものに限定されるものではなく、内容物や使用場面などを考慮して適宜選択され、具体的には例えばポリスチレンやポリプロピレンやパルプなどが考えられる。
【００３２】
係止部５１は、係止部４１と同様に、手提げ帯８０の側方縁部(両側)を引っ掛けるためのものである。係止部５１は、本実施形態では、容器蓋部５０の側壁下端部(周状)から広めに面取りされ天面に対して概ね平行に成形された部分(つば状)であって平面視長方形の四隅の部分に、上下方向に貫通する溝を有して平面視長方形の各角部に合わせて概ね鉤形に設けられる。言い換えると、長辺の側壁下端部の長辺方向両端角部寄りの位置から長辺方向外向きに延伸すると共に短辺の側壁よりも張り出した位置において短辺方向に反対端のものとの先端同士が向き合うように折れ曲がっている鉤状の係止片５２が形成される。そして、同一短辺の短辺方向両端の二つの係止片５２，５２が一対となって、手提げ帯８０の側方縁部の両側から挟んで引っ掛かる。
【００３３】
なお、係止部４１と同様に、同一短辺で一対となる係止片５２，５２の向き合う先端同士を繋ぎ合わせ、二つの係止片５２，５２によって形成される二つの溝を、周囲が閉じられた一つのスリット孔にするようにしても良い。その際のスリット孔の平面視形状は、特定の形状に限定されるものではなく、細長の線状や楕円形であっても良い。
【００３４】
また、係止部４１と同様に、係止部５１の個数は、図１に示す例のように四個に限定されるものではなく、容器や手提げ帯８０の素材強度や生産性等を勘案して一個でも良いし二個や三個でも良い。また、係止部５１の設置位置は、図１に示す例のように長辺の側壁下端部の長辺方向両端角部寄りの位置から長辺方向外向きに延伸すると共に短辺方向において反対端のものとの先端同士が向き合うように折れ曲がっている態様に限定されるものではなく、短辺の側壁下端部の長辺方向両端角部寄りの位置から短辺方向外向きに延伸すると共に長辺方向において反対端のものとの先端同士が向き合うように折れ曲がっているようにしても良い。また、図１に示す例では係止部５１を容器蓋部５０の下端位置に設けるようにしているが、係止部５１を中間位置や上端位置に設けるようにしても良い。
【００３５】
また、本発明における係止部４１，５１の構造は、本実施形態におけるもののように係止片４２，５２を有する態様に限定されるものではなく、手提げ帯８０の側方縁部が挿し込まれたりして引っ掛かるものであればどのような態様であっても良い。具体的には例えば、容器本体部４０の側壁上端部(周状)から広めに面取りされ底面に対して概ね平行に成形された部分(つば状)や容器蓋部５０の側壁下端部(周状)から広めに面取りされ天面に対して概ね平行に成形された部分(つば状)に設けられた楔形や波形などの単なる切り込みであっても良い。
【００３６】
本実施形態では、容器本体部４０の底部には、底面から下方に突出する平面視三角形状の二つの凸部及び平面視が平行する二本の線状の凸部４５が形成され、また、容器蓋部５０の上面側には、平面視三角形状の二つの凹部５６及び平面視概ね矩形の凹部５５が形成される。そして、容器本体部４０底部の凸部４５が容器蓋部５０上面側の凹部５５，５６に嵌まり込むことにより、容器を複数段積み重ねた際の容器同士の横ずれが防止される。なお、本実施形態では、凹部５５，５６に例えば箸やフォーク，スプーン或いは調味料などを収容した状態で更に上段容器底部の凸部４５が嵌まり得るように、凸部４５の突出寸法よりも凹部５５，５６の深さ寸法の方が大きく調整されている。
【００３７】
なお、凸部４５及び凹部５５，５６の態様は、積み重ねたときの上段の容器本体部４０の底部と下段の容器蓋部５０とが横ずれしないように嵌まり合うものであれば、本実施形態におけるものに限定されるものではない。具体的には例えば、凸部４５や凹部５５，５６の形状は本実施形態の平面視三角形や線状や矩形に限定されるものではないし、容器本体部４０の底部に凹部を設けると共に容器蓋部５０の上面側に前記凹部に嵌まり込む凸部を設けるようにしても良いし、容器本体部４０の底部に凹部及び凸部を設けると共に容器蓋部５０の上面側に前記凹部及び凸部と嵌まり合う凸部及び凹部を設けるようにしても良い。
【００３８】
ここで、係止部(４１，５１)は、本実施形態のように容器本体部４０と容器蓋部５０との両方に各々備えられるようにしても良いし、どちらか一方のみに備えられるようにしても良い。また、本実施形態のように係止部４１，５１を容器本体部４０と容器蓋部５０との両方に各々備えるようにする場合には、容器本体部４０に容器蓋部５０を取り付けた状態で両者の係止部４１，５１が上下方向に重なる位置及び形状に形成される。なお、本実施形態では、係止部４１と係止部５１とは上下に閉じ重なって一体になる。
【００３９】
また、係止片４２，５２は、容器本体部４０の底面平面，容器蓋部５０の天面平面に対して平行や下向きに反らせて設けるよりも、若干上向きに反らせて設ける方が、手提げ帯８０の側方縁部を係止部４１，５１に挿し入れて引っ掛ける作業がより一層容易になるので好ましい。
【００４０】
なお、図１における符号４３及び符号５３は、容器(４０，５０)と手提げ帯８０とを組み合わせて用いる際に、手提げ帯８０が当接する縁部を表す。また、容器本体部４０の凸部４４と容器蓋部５０の凹部５４とが嵌まり合わさって液漏れがしづらい状態で容器本体部４０に容器蓋部５０が取り付けられる。
【００４１】
なお、図１では容器本体部４０が深くて容器蓋部５０が浅い(低い)例を示しているが、この組み合わせとは逆に、本体部４０を浅くすると共に蓋部５０を深く(高く)することにより、弁当や惣菜等だけではなくケーキやスイーツのような背の高い収容物にも用いることができる。
【００４２】
また、図２に示すように、容器の本体部としての底部カバー６０に容器の蓋部としてのプレート部７０を取り付けて用いるようにしても良い。図２(Ｂ)において、符号６１は係止部、符号６２は係止片、符号６３は手提げ帯当接縁部を表し、また、同図(Ａ)において、符号７１は係止部、符号７２は係止片、符号７３は手提げ帯当接縁部を表す。
【００４３】
そして、図２に示す態様の場合には、プレート部７０の天面７５にカップ容器等を受ける円形等の孔７４を一つ若しくは複数設けることにより（同図(Ａ)）、カップ容器等の水平姿勢保持フレームとしても利用することができる。なお、この場合には、底部カバー６０は、側壁(周壁)のみで底は設けないようにしても良い。
【００４４】
手提げ帯８０は、本実施形態では、長手方向の一端が開口していると共に他端寄りの位置が封止されて袋状に形成される。なお、本発明における手提げ帯８０の材質は、特定のものに限定されるものではなく、内容物や使用場面などを考慮して適宜選択され、具体的には例えばポリエチレンやポリオレフィンなどが考えられる。
【００４５】
手提げ帯８０は、本実施形態では具体的には、図３に示すように、筒状のものの長手方向の一端（図３において上側端部で符号８０の記載がある方）を開口したままにすると共に、他端を符号８３の位置において長手方向と直角方向に熱融着などによって封止している。そして、手提げ帯８０は延ばすと帯状になる。
【００４６】
手提げ帯８０には、長手方向の両端部に把手用の孔８１が一端に四つずつ設けられる（封止されている方の端では、封止部８３よりも端寄りの位置に設けられる）。なお、図３に示す例では手で持つ際に孔毎に各指を入れて持ち易くするために両端部の各々に四つずつの孔８１が設けられているが、両端部の各々に大きめの穴を一つずつ設けるようにしても良い。
【００４７】
なお、手提げ帯８０には、長手方向の中央位置を示す線８５や、この帯と組み合わせて用いられる容器の大凡の外周位置を示す線であって中央線８５両側の線８６，８６や、引っ掛け作業をする際に手提げ帯８０を持つ部分の目安マーク８７などが印刷されていることが、手提げ帯８０の容器への引っ掛け作業が正確・容易になる点で好ましい。なお、容器外周のガイド線８６，８６同士の間隔Ａは、容器(４０，５０)の長手方向の寸法（図１における符号ａの寸法）を目安に調整される。
【００４８】
また、図３に示す例では手提げ帯８０はガセット折りによるマチ８２がある袋としては一般的な態様であるが、マチのない簡易構造のものにしても良い。さらに、図３に示す例では手提げ帯８０は開口端と封止端とを有して袋として形成されているが、図５に示すように開口端や封止端を有しない単なる帯８０'であっても良い。
【００４９】
また、図５に示す手提げ帯８０'におけるように、例えば複数回の繰り返しての利用が想定される場合などには、より一層使い勝手を向上させるため、ポリ板を封入するなどによって両端の把手周辺部８８'の強度を確保するようにしても良い。さらに、図５に示す手提げ帯８０'におけるように、両端の把手周辺部８８'同士を合わせ閉じて持ったときの把手用の孔８１'の周辺（図５では下方）に前記把手周辺部８８'同士を合わせ閉じた状態で結合するスナップボタン８９'を備えるようにしても良い。
【００５０】
なお、本発明における手提げ帯８０には、帯の外側の、把手部分のすぐ下から容器(４０，５０)の係止部(４１，５１)が挿し込まれる部分までの面部分に、例えばガムやチョコ等の小物が収納できるポケットや、スナック等の袋菓子が収納できるネットポケットが設けられるようにしても良い。
【００５１】
また、本発明における手提げ帯として、図６に示す形態の手提げ帯８０''を用いるようにしても良い。この手提げ帯８０''では、両端の把手周辺部８８''を外側（即ち、図裏面側）に９０度折り曲げて、載置・収容した容器の上方で、図面で見えている面同士を合わせて閉じる。なお、この例でも、ポリ板を封入するなどによって両端の把手周辺部８８''の強度を確保するようにしていると共に、両端の把手周辺部８８''同士を合わせ閉じた状態で結合するスナップボタン８９''を備えるようにしている。
【００５２】
手提げ帯８０(８０')の幅Ｄは、当該手提げ帯８０(８０')と組み合わせて用いることが予定されている複数のサイズの容器(４０及び５０，６０及び７０)のうち一対の係止片同士の間隔（係止片４２同士及び５２同士，係止片６２同士及び７２同士；図１(Ａ)では符号ｂの寸法）の最大値若しくは当該最大値よりも幅広に設定されることが、容器の水平姿勢をより一層確実に保持し得る点で好ましい。また、係止部(４１及び５１，６１及び７１)への挿し込み状態寸法（図１では符号ｄの寸法）も目安として調整することが、手提げ帯の幅Ｄを必要以上に幅広にして無駄を生じさせたり取り扱いや見た目を悪化させたりすることが回避される点で好ましい。
【００５３】
また、手提げ帯８０(８０')の長手方向両端の把手部分Ｆ，Ｆを除く容器載置・収容部分の長さＧは、当該手提げ帯８０と組み合わせて用いることが予定されている複数のサイズの容器のうち｛容器の長手方向長さａ＋深さｃ×２｝の最大値、また、容器を二段，三段と重ねることがあり得る場合には重ねた場合の寸法を考慮して適宜設定される。
【００５４】
なお、本発明においては、手提げ帯８０として、上記所定の寸法の最大値丁度のものだけではなく、当該最大値以上の寸法のものを用いることが可能であるので、容器の大きさが異なっても同一の仕様(寸法)のものを使うことができる。
【００５５】
また、本実施形態の図３に示す例のように手提げ帯８０を袋状に形成すれば、容器を持ち運ぶ際には帯状包装材としての機能性を発揮すると共に、食後は通常の袋のように空き容器を液漏れすることなく収容することが可能になる。
【００５６】
手提げ帯８０によって容器を持ち運ぶ際には、具体的には、図４に示すように、袋内に容器を収納するのではなく、延ばして帯状に拡げて置いた手提げ帯８０に印刷された中央線８５及び容器外周のガイド線８６，８６を見当にして中央部に容器(４０，５０)を置き、作業時の目安マーク８７周辺を掴んで帯の両端を持ち上げて両側縁部を容器の係止片４２，５２に挿し込んで引っ掛ける。そして、孔８１に指を差し込んで持ち運ぶ。なお、図４では、容器を二段積み重ねて手提げ帯８０で持ち運ぶときの例を示している。
【００５７】
以上のように構成された本発明の水平保持機能付き容器及び手提げ帯によれば、容器本体部４０と容器蓋部５０とのどちらか一方又は両方の係止部４１，５１に手提げ帯８０の側方縁部を挿し込んで引っ掛けて固定することで、手提げ帯８０で持ち運んだときに容器本体部４０を水平に保持することができ傾斜してしまうことを防ぐことができる。また、容器が二段以上積み重ねられる際も、同様に係止部４１，５１で固定され、さらに容器本体部４０の凸部４５と容器蓋部５０の凹部５５，５６とによる固定作用で上段の容器も横ずれしないようにすることができる。したがって、容器本体部４０の内容物は傾斜したり漏れたりすることなく持ち運ぶことができる。また、手提げ帯８０の形状の不定形性、流動性を生かすことにより、容器のサイズ違いにも同一の手提げ帯８０で対応することが可能である。さらに、手提げ帯８０に不要な切り込みなどを設けることがないので、手提げ用具としての引っ張り強度を確保することができる。
【００５８】
なお、上述の形態は本発明の好適な形態の一例ではあるがこれに限定されるものではなく、本発明の要旨を逸脱しない範囲において種々変形実施可能である。例えば、上述の実施形態では容器本体部４０及び容器蓋部５０の平面視は長方形であるようにしているが、容器本体部４０及び容器蓋部５０の平面視形状は、これに限定されるものではなく、真円形や楕円形などでも良い。また、容器本体部４０，容器蓋部５０の平面視形状が真円形や楕円形の場合には、容器本体部４０の上端部，容器蓋部５０の下端部を横方向即ち容器底面と平行に延伸させて平面視長方形にする（若しくは近付ける）ことにより、上述の実施形態のように平面視長方形の容器と同様の位置関係の係止部を形成するようにしても良い。これにより、水平姿勢保持の効果を同様に発揮することができ、また、容器の形状に関係なく手提げ帯を共用(統一化)することができ、容器の形状違いに対応する汎用性を向上させることができる。
【００５９】
また、上述の実施形態では容器本体部４０と容器蓋部５０若しくはプレート部７０とを組み合わせて使用するようにしているが、本発明において容器蓋部５０やプレート部７０を組み合わせることは必須の要件ではない。すなわち、容器本体部４０のみを手提げ帯８０で持ち運ぶ場合でも、容器本体部４０に係止部４１を設けることによって本発明の効果は発揮される。
【００６０】
また、上述の実施形態では容器蓋部５０の凹凸は容器本体部４０底部の凹凸と嵌まり合うことによって積み重ねた容器同士が横ずれしないようにするためや箸等或いは調味料等を収容するためのものとして説明したが、容器蓋部５０の凹凸を、さらに、例えばペットボトル等の飲料用容器を嵌め込むように形成しても良い。これにより、弁当等の容器と共に飲料用容器を一緒に手提げ帯８０内で位置固定させて持ち運ぶことができる。
【００６１】
次に、図７から図１０に、本発明の第二の実施形態を示す。この水平保持機能付き容器及び手提げ袋は、四つの係止片１１が側壁外側に設けられた容器１０と、係止片１１が差し込まれる孔２１が側面に設けられた手提げ袋２０とからなるようにしている。
【００６２】
容器１０は、容器本体部１０Ａと容器蓋部１０Ｂとからなり、本実施形態では、両者共に平面視長方形をなしている。本発明における容器本体部１０Ａ及び容器蓋部１０Ｂの材質は、特定のものに限定されるものではなく、内容物や使用場面などを考慮して適宜選択され、具体的には例えばポリスチレンやポリプロピレンやパルプなどが考えられる。
【００６３】
容器本体部１０Ａは、平面視長方形における長辺の側壁外側の角寄りの位置の各々に、側壁の上縁部分を外側に折り返して部分的に下向きに延伸させた係止片１１を備える。すなわち、本実施形態では、四つの係止片１１を備える。係止片１１の長さは、容器本体部１０Ａの高さを上回らない範囲で適宜調整される。
【００６４】
係止片１１は、容器本体部１０Ａの主体部分と一体成形するようにしても良いし、容器本体部１０Ａの主体部分に別体の部材を取り付けるようにしても良い。なお、係止片１１を容器本体部１０Ａの主体部分と一体成形する場合には、容器本体部１０Ａの立体成形前の平板状の部材の時点で係止片形状を抜き成形しておけば、それを従来の立体成形工程にかけて容器本体部１０Ａの主体部分と一括で立体成形することができる。
【００６５】
係止片１１の形状は、特定の形状に限定されるものではないが、手提げ袋２０の孔２１に差し込み易く抜けづらい形状が好ましい。本実施形態では、係止片１１は、スペードマークを上下逆さにしたような形状をしている。
【００６６】
なお、容器本体部１０Ａの上周縁部の外側への折り返し部分は、垂直方向から見て容器本体部外向きに若干逃げるようにすることにより、上周縁部から外向きに折り返して延伸する下向きの係止片１１も容器本体部外向きに若干膨らんで手提げ袋２０の孔２１への差し込みがより一層容易になるので好ましい。
【００６７】
手提げ袋２０は、本実施形態では、図８に示すように、ガゼット折りによって形成される所謂Ｕバッグであり、両側面の、容器１０を中に収容したときの係止片１１の位置に孔２１を係止片１１の個数に対応して四つ備える。孔２１の大きさは、係止片１１が通過でき且つ係止片１１の大きさに対して大き過ぎない範囲で適宜調整される。なお、本発明における手提げ袋２０の材質は、特定のものに限定されるものではなく、内容物や使用場面などを考慮して適宜選択され、具体的には例えばポリエチレンやポリオレフィンなどが考えられる。
【００６８】
孔２１は、例えば、手提げ袋２０の把手部分などを成形する抜き工程時に、孔２１の抜き型を追加することで把手部分などと一括で成形することができる。
【００６９】
孔２１の形状は、特定の形状に限定されるものではないが、当該孔２１に容器本体部１０Ａの係止片１１が差し込まれて荷重がかかっても当該孔２１から亀裂が発生しづらい形状であると共に容器本体部１０Ａの係止片１１を差し込み易い形状が望ましい。具体的には例えば、真円形や楕円形が好ましい。
【００７０】
手提げ袋２０における同一側面の孔２１同士の間隔２２(ａ)は、当該手提げ袋２０と組み合わせて用いることが予定されている複数のサイズの容器１０のうち同一側壁の係止片１１同士の間隔１２(ａ)の最大値若しくは当該最大値よりも大きく設定されることが、容器１０の水平姿勢をより一層確実に保持し得る点で好ましい。また、容器１０の大きさが異なっても、同一の仕様(寸法)の手提げ袋２０が使うことができるように、同一側壁の係止片１１同士の間隔１２(ａ)は一定であることが好ましい。
【００７１】
手提げ袋２０における孔２１の下端からの高さ２３(ｅ)は、当該手提げ袋２０と組み合わせて用いることが予定されている複数のサイズの容器本体部１０Ａのうち｛側壁の高さ１３(ｂ)＋短辺方向の横幅１４(ｃ)／２｝の最大値若しくは当該最大値よりも大きく設定されることが、容器の水平姿勢をより一層確実に保持し得る点で好ましい。この場合、中に収容する容器１０の所定の寸法が前記最大値よりも小さい場合には容器１０が手提げ袋２０内で宙吊りになるが、孔２１に係止片１１が差し込まれて手提げ袋２０の中で固定されているため、容器１０の水平姿勢保持及び持ち運びには支障はない。
【００７２】
手提げ袋２０における、対向する孔２１同士間の沿周長さ｛側方間隔２４(ｆ)×２＋マチ深さ２５(ｇ)×２｝は、当該手提げ袋２０と組み合わせて用いることが予定されている複数のサイズの容器本体部１０Ａのうち、対向する係止片１１同士間の沿周長さ１５(ｄ)の最大値若しくは当該最大値よりも大きく設定されることが、容器の水平姿勢をより一層確実に保持し得る点で好ましい。この場合、中に収容する容器１０の所定の寸法が前記最大値よりも小さい場合には容器１０の短辺と袋との間に隙間が生じるが、孔２１に係止片１１が差し込まれて手提げ袋２０の中で固定されているため、容器１０の水平姿勢保持及び持ち運びには支障はない。
【００７３】
また、容器本体部１０Ａ底部の凸部１６と容器蓋部１０Ｂ上面側の凹部１７とは、容器１０同士を積み重ねた際に両者が噛み合うように形状と位置とが調整されて設けられる。凸部１６及び凹部１７の本数は最低２本からでも機能するが、積み重ねた上段の容器１０をより一層確実に固定させる為には、４本以上設けられることが好ましい。なお、容器蓋部１０Ｂの凹部１７は、蓋の強度を向上させるため、蓋の縁まで延伸させることが望ましい。
【００７４】
以上のように構成された本発明の水平保持機能付き容器及び手提げ袋によれば、容器本体部１０Ａの係止片１１が手提げ袋２０の孔２１を通して袋の内側から外側に貫通し固定されることで、手提げ袋２０で持ち運んだときに容器１０を水平に保持することができ傾斜してしまうことを防ぐことができる。また、容器１０が袋の中で二段以上積み重ねられる際も、最も下段の容器１０が同様に係止片１１と孔２１とで固定され、さらに容器本体部１０Ａ底部の凸部１６と容器蓋部１０Ｂ上面側の凹部１７とによる固定作用で上段の容器１０も横ずれしないようにすることができる。したがって、容器１０の内容物は傾斜したり漏れたりすることなく持ち運ぶことができる。また、容器１０自体のサイズが異なっても、手提げ袋２０の形状の不定形性、流動性を生かしたり係止片１１同士の間隔１２(ａ)を統一したりすることにより、手提げ袋２０は同一の仕様(寸法)のものを用いることが可能である。さらに、手提げ袋２０に不要な切り込みなどを設けることがないので、手提げ用具としての引っ張り強度を確保することができる。
【００７５】
なお、上述の形態は本発明の好適な形態の一例ではあるがこれに限定されるものではなく、本発明の要旨を逸脱しない範囲において種々変形実施可能である。例えば、上述の実施形態では容器本体部１０Ａの係止片１１は容器本体部１０Ａの長辺の側壁外側の角寄りの位置に合計四つ設けられているが、係止片１１の設置位置や個数は、これに限定されるものではなく、手提げ袋２０の素材強度や生産性等を勘案して別の位置や個数でも良い。具体的には例えば、対向する長辺の側壁それぞれの中央位置に一つずつでも良いし、対向する長辺の側壁それぞれの角寄りで平面視で対角位置に一つずつでも良いし、長辺の側壁の一方のみに一つのみでも良い（なお、したがって、手提げ袋２０の孔２１の位置や個数も上述の実施形態の態様に限定されるものではない）。また、係止片１１の形状は、逆三角形や菱形や矩形や下に凸の半円形などでも良い。さらに、図７に示す例では係止片１１を容器本体部１０Ａの側壁の上端寄りの位置に設けるようにしているが、係止片１１を側壁の中間位置や下端寄りの位置に設けるようにしても良い。
【００７６】
また、上述の実施形態では容器本体部１０Ａに係止片１１を設けるようにしているが、容器本体部１０Ａと容器蓋部１０Ｂとの嵌め合わせが強く容易には外れない場合には、容器蓋部１０Ｂに係止片１１を設けるようにしても良い。
【００７７】
また、上述の実施形態では容器本体部１０Ａ及び容器蓋部１０Ｂの平面視は長方形であるようにしているが、容器本体部１０Ａ及び容器蓋部１０Ｂの平面視形状は、これに限定されるものではなく、真円形や楕円形などでも良い。また、容器本体部１０Ａ，容器蓋部１０Ｂの平面視形状が真円形や楕円形の場合には、容器本体部１０Ａの上端部，容器蓋部１０Ｂの下端部を横方向即ち容器底面と平行に延伸させて平面視長方形にする（若しくは近付ける）ことにより、上述の実施形態のように平面視長方形の容器と同様の位置関係の係止片を形成するようにしても良い。これにより、水平姿勢保持の効果を同様に発揮することができ、また、容器の形状に関係なく手提げ袋を共用(統一化)することができ、容器の形状違いに対応する汎用性を向上させることができる。
【００７８】
また、上述の実施形態では容器本体部１０Ａと容器蓋部１０Ｂとを組み合わせて使用するようにしているが、本発明において容器蓋部１０Ｂを組み合わせることは必須の要件ではない。すなわち、容器本体部１０Ａのみを手提げ袋２０で持ち運ぶ場合でも、容器本体部１０Ａに係止片１１を設けることによって本発明の効果は発揮される。
【００７９】
また、上述の実施形態では手提げ袋２０はＵバッグともレジ袋とも呼ばれる、ガゼット折りによって形成されて底部にマチを有する態様のものであったが、手提げ袋２０の態様はこれに限定されるものではなく、図９に示すように、マチのない構造の手提げ袋３０でも良い。図９に示す手提げ袋３０の場合には、孔３１の下端からの高さ３３(ｅ)は、当該手提げ袋３０と組み合わせて用いることが予定されている複数のサイズの容器１０のうち｛側壁の高さ１３(ｂ)＋短辺方向の横幅１４(ｃ)／２｝の最大値若しくは当該最大値よりも大きく設定されることが、容器１０の水平姿勢をより一層確実に保持し得る点で好ましい。また、対向する孔３１同士間の沿周長さ｛側方間隔３４(ｈ)×２｝は、当該手提げ袋３０と組み合わせて用いることが予定されている複数のサイズの容器１０のうち、対向する係止片１１同士間の沿周長さ１５(ｄ)の最大値若しくは当該最大値よりも大きく設定されることが、容器１０の水平姿勢をより一層確実に保持し得る点で好ましい。ただし、容器１０自体のサイズが異なっても同一側壁の係止片１１同士の間隔１２(ａ)を統一することにより、手提げ袋３０は同一の仕様(寸法)のものを用いることが可能である。
【００８０】
また、上述の実施形態では容器蓋部１０Ｂの凹凸は容器本体部１０Ａ底部の凹凸と嵌まり合うことによって積み重ねた容器１０同士が横ずれしないようにするためのものとして説明したが、容器蓋部１０Ｂの凹凸を、さらに、例えばペットボトル等の飲料用容器を嵌め込むように形成しても良い（例えば、図７における符号１８，１９で示す凹部を形成しても良い）。これにより、弁当等の容器と共に飲料用容器を一緒に手提げ袋２０内で容器蓋部１０Ｂ上に位置固定させて持ち運ぶことができる。
【００８１】
次に、図１１及び図１２に、本発明の第三の実施形態を示す。この水平保持機能付き手提げ袋１００は、四つの係止片９１が周縁部に設けられた底板９０を備えると共に、係止片９１が差し込まれる孔１０４が側面に設けられているようにしている。
【００８２】
本実施形態では、底板９０は平面視長方形をなし、長方形の四隅（即ち、四つ角位置）のそれぞれに係止片９１が設けられる。
【００８３】
なお、底板９０の平面視形状は、長方形に限定されるものではなく、真円形，楕円形，正方形や複数の図形が組み合わせられた形状でも良い。また、係止片９１の個数は、四つに限定されるものではなく、少なくとも一つあれば良い。また、係止片９１が設けられる位置は、底板９０の外向きに突出していれば矩形の角部に限定されるものではなく、矩形の辺部でも良いし、円形の周部でも良い。
【００８４】
袋１００は、本実施形態では、ガゼット折りによるマチ１０２を有し、手提げ部１０１の上端と本体下端とに熱融着部１０３が形成される態様のものである。
【００８５】
この第三の実施形態では、底板９０の長辺の長さａは袋１００の本体の幅（言い換えると、畳んだ状態での袋の幅）Ａを目安に調整され、底板９０の短辺の長さｂは袋１００のマチ１０２の幅Ｂ×２を目安に調整される。また、袋１００の孔１０４の本体下端からの高さ位置は、本体下端（熱融着部１０３）からマチ幅Ｂの高さ位置になる。
【００８６】
なお、底板９０の厚さは、特に限定されるものではないが、例えば１ミリ前後とすることが考えられる。
【００８７】
以上のように構成された本発明の水平保持機能付き手提げ袋によれば、第一の実施形態や第二の実施形態のように容器に係止部を設けるという変更が行えない場合でも、底板９０の各係止片９１を手提げ袋１００の孔１０４に差し込むことによって手提げ袋１００の底部の所定位置に底板９０が固定され、容器の水平姿勢を保持することができる。
【符号の説明】
【００８８】
４０  容器本体部
４１  係止部
５０  容器蓋部
５１  係止部
８０  手提げ帯
【図１】
2013052887.tif 000003
【図２】
2013052887.tif 000004
【図３】
2013052887.tif 000005
【図４】
2013052887.tif 000006
【図５】
2013052887.tif 000007
【図６】
2013052887.tif 000008
【図７】
2013052887.tif 000009
【図８】
2013052887.tif 000010
【図９】
2013052887.tif 000011
【図１０】
2013052887.tif 000012
【図１１】
2013052887.tif 000013
【図１２】
2013052887.tif 000014